(57)【要約】【課題】アシンメトリに対しても最適なストラテジが得られ、効率が良く、精度の高い記録パワーの最適化を実現可能な情報記録方法を提供する。【解決手段】発光パルスの後端を基準にパルス幅を決定するストラテジの場合は少なくとも先頭に位置するパルスのパルス幅をパラメータとする。発光パルスの前端を基準にパルス幅を決定するストラテジの場合は少なくとも最後端に位置するパルスのパルス幅をパラメータとする。そして、光ディスクに試し書きデータを記録し、光ディスクから試し書きデータを再生して、再生信号からアシンメトリの大きさを測定する。更にその測定結果に基づいてアシンメトリが所定の範囲内となるようにパラメータを調整する。【選択図】図８
2008282510.tif 000002
【特許請求の範囲】
【請求項１】
ストラテジに基づいてレーザ光をパルス状に変調して光ディスクに情報を記録する情報記録方法において、
発光パルスの後端を基準にパルス幅を決定するストラテジの場合は少なくとも先頭に位置するパルスのパルス幅をパラメータとし、
発光パルスの前端を基準にパルス幅を決定するストラテジの場合は少なくとも最後端に位置するパルスのパルス幅をパラメータとして、
前記光ディスクに試し書きデータを記録し、
前記光ディスクから前記試し書きデータを再生して再生信号からアシンメトリの大きさを測定し、
前記測定結果に基づいて前記アシンメトリが所定の範囲内となるように前記パラメータを調整することを特徴とする情報記録方法。
【請求項２】
前記ストラテジが発光パルスの後端を基準にパルス幅を決定しているキャッスルストラテジの場合、前記先頭に位置するパルスのパルス幅は、３Ｔ，４Ｔマークではパルス幅全長、５Ｔ以上のマークでは先頭で突出する部分のパルス幅のことであり、更に、５Ｔ以上のマークではパルス幅全長もパラメータに含まれることを特徴とする請求項１に記載の情報記録方法。
【請求項３】
前記ストラテジが発光パルスの前端を基準にパルス幅の決定をしているマルチパルスストラテジの場合、前記最後端に位置するパルスのパルス幅は、３Ｔマークではパルス幅全長であることを特徴とする請求項１に記載の情報記録方法。
【請求項４】
前記ストラテジが発光パルスの前端を基準にパルス幅を決定しているキャッスルストラテジの場合、前記最後端に位置するパルスのパルス幅は、３Ｔマークではパルス幅全長、４Ｔ以上のマークでは後端で突出する部分のパルス幅のことであり、更に、４Ｔ以上のマークではパルス幅全長もパラメータに含まれることを特徴とする請求項１に記載の情報記録方法。
【請求項５】
前記再生信号のジッターを測定し、その測定結果に基づきジッターが所定範囲内となるように前記ストラテジのパラメータを調整すると共に、前記アシンメトリのためのパラメータ調整は前記ジッターが所定の範囲を保った状態で前記アシンメトリが所定の範囲になるように行なわれることを特徴とする請求項１〜４のいずれか１項に記載の情報記録方法。
【発明の詳細な説明】
【技術分野】
【０００１】
本発明は、光ディスクに情報を記録する情報記録方法、特に、パルス記録におけるパラメータの設定に関するものである。
【背景技術】
【０００２】
近年、ＣＤ−Ｒ、ＲＷやＤＶＤ±Ｒ、±ＲＷ、更には、ＢＤ−ＲＥ、−R等の書き込み可能な多種多様な光ディスクが様々な製造メーカーによって製造され、広く普及している。そのため、それにデータを記録する光ディスク装置は様々な性質を有する光ディスクに対応する必要がある。即ち、製造メーカー毎に異なる性質を有する多種類の光ディスクに対し、高品位にデータを書き込めるように光ディスク装置もしくは光ディスク側で工夫することが必要とされる。
【０００３】
従来、データ書き込み可能な光ディスクには、その光ディスクの製造メーカーを表すディスク識別情報や光ディスクにデータを書き込む際の書き込み設定値等のディスク情報が、予めピット等により記録されている。例えば、ユーザーデータ領域よりも内周側にその製造メーカー名や書き込み設定値（記録パワー、記録ストラテジ等）等のディスク情報が、ランドプリピット（ＬＰＰ）として記録されている。このディスク情報を読み取り、情報通りに記録すれば、製造メーカーが異なっていても、良好な情報記録再生が可能なように工夫されている。
【０００４】
ここで、ディスク情報の一つである記録ストラテジは、例えば、図１に示すようにＴｔｏｐやＴｍｐ、Ｔｌｄ、Ｔｒｔ又は図示しない３Ｔｄｔｐや４Ｔｄｔｐ、５Ｔｄｐｔ等数多くのストラテジパラメータから構成されている。
【０００５】
ところが、実際には、光ディスク装置に搭載される対物レンズ等の光学系やレーザードライバー等の書き込み機構は各光ディスク装置によって異なっている。そのため、ディスク情報における書き込み設定値でレーザーを発光させたとしても、実際のレーザー照射は各光ディスク装置によって微妙に異なっている。その結果、ディスク情報通りに記録したとしても、光ディスクと光ディスク装置の相性によっては良好な信号が得られない場合が往々にしてみられるというのが実情である。
【０００６】
そこで、従来は光ディスク装置にＲＯＭ等の記憶機構を設け、各種光ディスク毎の最適書き込み設定値を予め光ディスク装置に記憶させて記録を行っている。つまり、各メーカー毎のディスク情報に応じた最適書き込み設定値をＲＯＭ等から読み出して設定し、情報の記録を行う。これにより、各種の光ディスクに対して光ディスク装置に適したデータの記録を行うことができ、良好な情報記録再生を実現できる。
【０００７】
一方、光ディスクには同一メーカーにおける同種の製品であっても個体毎に品質にばらつきがある。そのため、上述のように各種光ディスク毎に予め用意された書き込み設定値を設定してデータの記録を行ったとしても、その光ディスク個体にとって必ずしも最適ではない場合がある。
【０００８】
また、上述のような光ディスク装置の場合、ＲＯＭ等の記憶機構に書き込み設定値が記憶されていない未登録ディスクに対しては、最適書き込み設定が不能となる。例えば、新製品の光ディスクにおいては新たなディスク情報が付与されており、ＲＯＭ情報にはない光ディスクに対し、必ずしも良好な情報記録再生が行えるとは限らない。
【０００９】
更に、近年においては、光ディスクの低価格化と共に光ディスクの低品質化も顕在化してきている。このような低品質の光ディスクが未登録の場合、例えディスク情報でデータの記録をしたとしても、書き込みエラーが多く、使用困難という状況に陥るケースが見られる。
【００１０】
この対応策の一つとして、ＲＯＭ等に記憶された書き込み設定値情報を新たなバージョンに書き換えることが考えられるが、そのためのメーカー側の負担は大きいものとなる。また、ユーザーとしても書き込み設定値情報のバージョンアップを図らない限り、上述のような未登録ディスクに対して使用することができず、不便なものとなる。
【００１１】
この課題を解決する方法として、特開２００６−１２３２２号公報（特許文献１）に提案された方法がある。同公報の方法は、データの記録前に様々な書き込み設定値により試し書きした記録マークからＲＦ信号を再生し、最も記録品位のよい書き込み設定値を設定してデータの記録を行う。
【００１２】
試し書きを行う際には、様々な書き込み設定値（記録パワー、ストラテジ等）にして複数のランダムデータを書き込んだ後、書き込まれた複数のデータのパルス幅及び各パルス幅の発生頻度を測定する。これにより、データ内の各マーク長での再生波形のパルス幅分布が得られ、略正規分布状のパルス幅分布のジッターやピークのずれ量を観測することができる。これを用いて書き込み条件の最適化を図ることで、よりきめ細かい書き込み設定値を設定することが可能と記載されている。
【特許文献１】特開２００６−１２３２２号公報
【発明の開示】
【発明が解決しようとする課題】
【００１３】
特許文献１の書き込み条件の最適化方法は、ジッターによる信号品位の最良化という観点でのストラテジ最適化には精度の良い方法となっている。しかしながら、アシンメトリという観点でのストラテジ最適化については何ら言及されていない。
【００１４】
アシンメトリとは記録マークの時間軸方向における非対象性のことであり、再生エラーに関与するものである。また、最適記録パワー校正（ＯＰＣ）においては、アシンメトリに相当するβが用いられており、ジッターと並んで重要なファクターとなっている。即ち、アシンメトリが大きい場合はエラーの増大を招き、更にはβによるＯＰＣで求めた記録パワーが不適切なパワーに設定されるという不具合が生じる。
【００１５】
ここで、βはディスク情報の一種であり、図１１に示すように最短マークの３Ｔと最長マークの１４Ｔが混在した再生信号波形をＡＣカップリングしたものに対して導かれる。つまり、ＡＣカップリングした波形のエンベロープのプラス側の振幅をＡ１、マイナス側の振幅をＡ２とすると、β＝（Ａ１−Ａ２）／（Ａ１＋Ａ２）で表される。
【００１６】
例えば、近年の低価格・低品質な光ディスク等においては、図１２に示すような特性を示すものもある。即ち、図１２に示すようにディスク情報通りのストラテジで記録を行った時に所定の記録パワーでジッター的には良好な値を示すものの、アシンメトリ的には規格外の特性を示す。
【００１７】
このような光ディスクにおいても、上述の従来のパルス幅分布のみで判断する最適化方法を用いれば、ジッター的には良好な特性を示す書き込み条件が得られる。しかし一方で、従来方法のジッター最良条件で導出されたストラテジで記録した場合、アシンメトリとしては規格外となってしまい、エラー率の増大を招くのである。
【００１８】
また、ディスク情報等に記載されているＯＰＣに用いるβは、通常、アシンメトリの少ないβとしては０に近い値に設定されている。従って、低品質の光ディスクにおいては、図１２に示すようにディスク情報のβによるＯＰＣで決定したパワーで記録した場合、ジッター的には最良なものとはならない。つまり、ＯＰＣ後に決定された記録パワーでデータを記録した時にジッター及びエラー率そのものが悪化することになり、不適切に記録パワーを選択することになる。
【００１９】
更に、従来からの最適化方法においては、数多くの記録ストラテジに対し最適化を図るものである。従って、ここで行うパルス波形計測等によるストラテジ最適化には多大な時間を要することになり、書き込み時間の増大を招いていた。また、最適化に使用する試し書き領域も多く消費され、特に、ＤＶＤ±Ｒ等の追記型の光ディスクに対して不適当なものとなっていた。
【００２０】
本発明の目的は、アシンメトリに対しても最適なストラテジが得られ、効率が良く、精度の高い記録パワーの最適化を実現可能な情報記録方法を提供することにある。
【課題を解決するための手段】
【００２１】
本発明は、ストラテジに基づいてレーザ光をパルス状に変調して光ディスクに情報を記録する情報記録方法において、発光パルスの後端を基準にパルス幅を決定するストラテジの場合は少なくとも先頭に位置するパルスのパルス幅をパラメータとする。また、発光パルスの前端を基準にパルス幅を決定するストラテジの場合は少なくとも最後端に位置するパルスのパルス幅をパラメータとする。そして、光ディスクに試し書きデータを記録し、光ディスクから試し書きデータを再生して再生信号からアシンメトリの大きさを測定し、その測定結果に基づいてアシンメトリが所定の範囲内となるようにパラメータを調整するものである。
【発明の効果】
【００２２】
本発明によれば、ジッターだけではなく、アシンメトリに対しても最適なストラテジを効率よく求めることができる。そのため、このようにして求められた最適ストラテジを用いてＯＰＣを行うことにより、精度の良い最適記録パワーによる高品質なデータ記録再生を実現できる。
【発明を実施するための最良の形態】
【００２３】
次に、発明を実施するための最良の形態について図面を用いて説明する。本願発明者は、鋭意検討の結果、ＤＶＤのような光変調記録に対し、以下のことを見出し、その結果をもとに本発明をなし得るに至った。
【００２４】
図１はＤＶＤにおいて最も典型的なストラテジの一例を示す。すべてのマーク長に一様に関わる先頭パルスＴｔｏｐ及び後続パルスＴｍｐからなるマルチパルスストラテジとなっている。先頭パルスＴｔｏｐは最短マーク長３Ｔマークを含むすべてのマーク形成のためのストラテジパラメータとなっている。
【００２５】
後続パルスＴｍｐは最短マークよりも長いマーク４Ｔ〜１１Ｔ及び１４Ｔマークの形成のためのストラテジパラメータであり、ｎＴマーク形成に（ｎ−３）個のＴｍｐパルスにより構成されている（ｎ＝４〜１１、１４）。
【００２６】
これらストラテジのパルス発光のタイミングは図１に示すように発光パルス後端を固定の基準タイミングとして、発光パルスの前方を変化させることでストラテジの調整を行う方式を採用している。即ち、光ディスク上の記録マークにおいてはマークの後端を形成するためのデータ信号のエッジを基準にしている。
【００２７】
従って、他のパラメータは変更せずに単にＴｔｏｐやＴｍｐを増加させた場合、発光パルスにおける発光開始のタイミングは早まるが、発光終了のタイミングは同じとなる。逆に、ＴｔｏｐやＴｍｐを減少させる場合、発光終了のタイミングを変えずに発光パルスにおける発光開始のタイミングを遅くし、発光間隔を減少させている。
【００２８】
更に、図１に示すストラテジのＴｔｏｐは全記録マークの前端に対して作用するものであるので、Ｔｔｏｐの変更により全記録マークの前端の位置を一律に変更することができるパラメータとなっている。
【００２９】
図２は最小ジッターを示す記録パワーＰｏ＿ｍｉｎ、その時のジッター及びβのＴｔｏｐ依存性を示すものである。図２から分かるようにジッターはあるＴｔｏｐで極小値となる依存性を示し、ジッターのＴｔｏｐに対する変化は比較的小さい。一方、Ｐｏ＿ｍｉｎ及びβに関してはＴｔｏｐの増加に伴い単調減少する。
【００３０】
図３はＴｔｏｐを変化させた時のβ及び最短マークの３Ｔと最長マークの１４Ｔが混在する記録再生波形の変化を模式的に示す図である。図３（ａ）はβ＜０（Ｔｔｏｐ大）、図３（ｂ）はβ＝０、図３（ｃ）はβ＞０（Ｔｔｏｐ小）の場合を示す。Ｔｔｏｐを変化させることにより記録パワーに対する記録マークの形成の仕方が、３Ｔから１４Ｔまでの各マーク長毎で異なるために、図３及び図２のようなβ（アシンメトリ）のＴｔｏｐ依存性を示す。
【００３１】
更に、Ｔｔｏｐの変更はマーク長によらず一律にマーク前端の記録開始位置を変更させているため、記録再生信号のエッジ位置の各マーク長毎の変化量は小さく、Ｐｏ＿ｍｉｎで記録した場合、Ｔｔｏｐに対するジッターの変化量も小さくなる。
【００３２】
本発明は、上述のＴｔｏｐのようなジッターを大きく変化させないでアシンメトリ（β）制御が可能なストラテジパラメータを利用して、ストラテジ及び記録パワーの最適化を図るものである。
【００３３】
即ち、図１に示すストラテジのＴｔｏｐのように発光パルスの基準位置がパルス後端である場合は、記録マークの前端を形成するストラテジパラメータによりアシンメトリを調整する。
【００３４】
一方、ジッターはそれ以外のストラテジパラメータ（例えば、Ｔｍｐ）で調整する。ストラテジパラメータによるジッター調整後、アシンメトリが所望の範囲内の特性を示さない場合には、アシンメトリのためのストラテジパラメータの調整を再度行う。即ち、アシンメトリ及びジッターが所定の範囲内の特性を示すまでそれぞれストラテジパラメータの調整を繰り返してストラテジの最適化を図る。そして、調整された最適ストラテジにより最適記録パワーを求め、実際のデータの記録に用いるのである。
【００３５】
以上は図１に示すストラテジを例に説明したが、本発明は、特にストラテジを選ぶものではなく、高線速度対応や二層メディア等に用いる、いわゆるキャッスルストラテジに対しても適用可能である。
【００３６】
例えば、図４に示すようなキャッスルストラテジの場合には、ストラテジを構成する発光パルスの基準位置は図１の場合と同じでパルス後端のエッジである。従って、記録マークの前端を形成する３Ｔｔｏｐ、４Ｔｔｏｐ、ｎＴｗｔ、ｎＴｔｏｐを一律に変更してストラテジ最適化を図ることにより同様の効果が得られる。即ち、この４つのストラテジパラメータを同時に一律に変更することにより、ストラテジパラメータとしての役割を持たせて、アシンメトリを調整する。
【００３７】
そして、ジッター調整のためのストラテジパラメータとしては、例えば、３Ｔｔｏｐのみ、４Ｔｔｏｐのみ、或いはｎＴｗｔのみとし、ストラテジを調整することによりジッター特性の最適化を図れば良い。
【００３８】
また、ストラテジを構成する発光パルスの基準位置が異なる場合にも、本発明は適用でき、同様の効果が得られる。この場合は、図５に示すように図１、図４とは異なり、ストラテジを構成する発光パルスの基準位置は発光パルスの前端のエッジである。従って、図５においては、Ｔｔｏｐ３Ｔ、Ｔｌｐのストラテジパラメータを同時に一律に変更することによりアシンメトリを調整する。
【００３９】
そして、ジッター調整のためのストラテジパラメータとしては、Ｔｔｏｐ３Ｔのみ、Ｔｔｏｐのみ、Ｔｌｐのみとし、ストラテジ調整することによりジッター特性の最適化を図れば良い。
【００４０】
また、図６に示すようにストラテジを構成する発光パルスの基準位置が発光パルスの前端のエッジであるキャッスルストラテジの場合は記録マークの後端を形成する、３Ｔｔｏｐ、ｎＴｗｔ、ｎＴｌｐを一律に変更してストラテジ最適化を図るものである。そうすることにより同様の効果が得られる。
【００４１】
即ち、この３つのストラテジパラメータを同時に一律に変更することにより、ストラテジパラメータとしての役割を持たせて、アシンメトリを調整する。そして、ストラテジパラメータとしては、上述したものの中から３Ｔｔｏｐのみ、或いはｎＴｗｔのみとし、ストラテジを調整してジッター特性の最適化を図れば良い。
【００４２】
なお、ジッター調整のためのパラメータとしては、上述したものに限らない。例えば、図１のライトストラテジでは、Ｔｍｐ、３Ｔｄｔｐ、４Ｔｄｔｐ、５Ｔｄｔｐ、６Ｔｄｔｐ−ｔｏ−１１Ｔｄｔｐ−ａｎｄ−１４Ｔｄｔｐ、３−３Ｔｌｄ、３−４Ｔｌｄ、３−５Ｔｌｄが候補として挙げられる。
【００４３】
また、図４のライトストラテジでは、３Ｔｔｏｐ、４Ｔｔｏｐ、５Ｔｔｏｐ、５Ｔｔｏｐ２、ｎＴｔｏｐ、ｎＴｌｐ、ｎＴｗｔ、３−３Ｔｌｄ、ｎＴｗｔ、３−３Ｔｌｄ、３−４Ｔｌｄ、３−５Ｔｌｄが候補として挙げられる。
【００４４】
図７は本発明に係る光ディスク装置の一実施形態を示すブロック図である。図７は本発明の主要な構成を示す。光ディスク１０に対して装置全体の動作を統括的に制御するＣＰＵ１１により情報の書き込み及び読み出しを行う。ＣＰＵ１１にはメモリ１３、レーザー（ＬＤ）制御回路１８が接続されている。
【００４５】
メモリ１３には、種々のディスク毎のストラテジや記録パワーの書き込み設定値及び未知ディスクがローディングされた時のための初期書き込み設定値が記憶されている。また、後述するストラテジ最適化過程におけるストラテジやジッター最小記録パワーの書き込み設定値が記憶されている。
【００４６】
更に、ディスク毎の所望のβ（アシンメトリに相当）や所望のジッター及びそれらの所望の特性に対して許容される所定の特性範囲が記録されている。所望のβとしては、光ディスクをローディングして読み取ったディスク情報のβを採用してもよい。
【００４７】
メモリ１３に記憶されたストラテジはＣＰＵ１１によってＬＤ制御回路１８に供給される。ＬＤ制御回路１８は入力されたストラテジに基づいて試し書き用のランダムデータによる各種の記録パルスを生成する。
【００４８】
ＬＤ制御回路１８には光ヘッド３０が接続されている。光ヘッド３０はレーザードライバ（ＬＤＤ）１９、これに接続された記録再生光源であるレーザー（ＬＤ）２０、光ディスク１０からの反射光を受光するフォトディテクタ（ＰＤ）２１等から構成されている。ＬＤＤ１９にはＬＤ制御回路１８で生成された各記録パルスが供給され、ＬＤＤ１９は供給された各記録パルスに基づきＬＤ２０を発光駆動する。
【００４９】
記録信号の読み出し時には、ＣＰＵ１１によりＬＤ制御回路１８に再生パワーが設定され、ＬＤＤ１９がＬＤ２０を発光駆動することにより、再生光が光ディスク１０上に照射される。ＰＤ２１はこの再生光による光ディスク１０からの反射光を受光し、電気的なＲＦ信号に変換する。ＰＤ２１にはＲＦ増幅回路１６が接続され、ＰＤ２１で変換されたＲＦ信号はＲＦ増幅回路１６で増幅される。ＲＦ増幅回路１６は２値化回路１７及びβ測定回路１４が接続されている。
【００５０】
ＲＦ増幅回路１６からの再生信号は２値化回路１７及びβ測定回路１４にそれぞれ供給される。２値化回路１７は供給された再生信号を２値のデジタル再生信号に変換する。デジタル再生信号はジッター測定回路１５へ供給するものと、画像情報や音声情報等の情報再生に用いるものとに分けて出力される。
【００５１】
β測定回路１４及びジッター測定回路１５はＣＰＵ１１に接続されている。β測定回路１４は入力された再生信号から記録パワー別に再生信号のアシンメトリに相当するβを測定し、その測定結果をＣＰＵ１１に出力する。β測定は再生信号波形をＡＣカップリングして、その時のエンベロープのプラス側の振幅をＡ１、マイナス側の振幅をＡ２として、β＝（Ａ１−Ａ２）／（Ａ１＋Ａ２）の式の計算で求める（図１１参照）。
【００５２】
ジッター測定回路１５は２値化回路１７から供給された２値のデジタル再生信号波形のエッジから、再生クロックに対するジッターを記録パワー別に測定し、その測定結果をＣＰＵ１１に出力する。以上のようにして記録パワー毎のβ（アシンメトリ）及びジッターの計測を行い、その結果をメモリ１３に記憶させる。
【００５３】
ＣＰＵ１１はメモリ１３に記憶されているジッター測定回路１５の測定結果から、ジッターが最小値を示す再生信号の記録パワー値を検索する。そして、ＣＰＵ１１はその検索された記録パワー値の時のジッター及びβをこの時に用いたストラテジとともにメモリ１３に記憶させる。
【００５４】
そして、ＣＰＵ１１はメモリ１３に記憶されている所望のβ及びジッターと比較し、所定の特性範囲以内と判断した時に、その時のストラテジを最適ストラテジとしてＬＤ制御回路１８に設定する。その後、記録パワーの最適化を行い、βが所望の値を示す記録パワーでＬＤＤ１９によりＬＤ２０を発光駆動してデータの記録を行う。
【００５５】
以上のような構成を有する光ディスク装置を、具体的にどのように動作させるかについて説明する。図８は本実施形態の基本動作を示すフローチャートである。まず、ローディングされた光ディスク１０に対し、メモリ１３に記憶されているディスク情報の中からＣＰＵ１１により検索して、どのようなディスクであるかを識別することから開始（start）し、ステップＳ1で以下のような処理を行う。
【００５６】
即ち、ディスク・ローディング後の識別結果からメモリ１３から書き込み設定値を検索し、ディスク識別結果がメモリ１３に記憶されている光ディスクであれば、その光ディスクのストラテジを初期ストラテジとして設定する。そして、記録パワーを変えながら記録し、ジッターσ及びβを計測する。
【００５７】
メモリ１３に記憶されていない未登録ディスクとして認識された場合には、予めメモリ１３に記憶されている、未知ディスク対応のためのストラテジを設定して、σ及びβの記録パワー依存性を計測する。以上までがステップＳ1の処理である。
【００５８】
ステップＳ２ではＳ１の計測結果をもとにジッターが最小となる記録パワーでのジッター値σ＝σmin及びベータ値β＝βminが、メモリ１３に記憶されている所望特性の所定範囲内であるかを判別する。所定範囲はσmin＜σtargetかつβmin＝βtargetである。所定範囲内の特性であればストラテジ最適化を終了し、ＬＤ制御回路１８に初期ストラテジ及びジッター最小記録パワーを設定し、データの記録を行う。
【００５９】
ここで、σtarget及びβtargetはメモリ１３に記憶されている所望のジッター及びβを示す。βtargetにはある程度の許容範囲を設けてもよい。例えば、ＤＶＤ−Ｒ系の規格値では、βに相当するアシンメトリは−０．０５以上、＋０．１５以内である。許容範囲が狭ければ狭いほどより精度のよい最適記録パワーを求めることができる。
【００６０】
σtargetは、例えば、認証機関で定められるジッターや、光ディスク装置を問題なくシステム的に動作させることができる設計上のジッター等で示される。βtargetとしては、一般的には、ディスク情報等に記載されるβ等を用いる。このようなσtarget及びβtargetに対し、所定の特性を示さない場合にはステップＳ３に移行する。
【００６１】
ステップＳ３では、ステップＳ１で求めたσminと閾値ジッター値（σth）の比較を行う。σthは、例えば、エラーなく情報再生可能なジッターの上限値等に設定することが考えられる。σmin＜σthである場合には、ステップＳ４に移行し、アシンメトリのためのストラテジパラメータ（ＷＳＧ１）の調整から開始する。一方、σmin＞σthである場合には、ステップＳ５に移行し、ジッターのためのストラテジパラメータ（ＷＳＧ２）の調整から開始する。
【００６２】
これは、ジッターの記録パワー依存性を用いて行うストラテジ最適化にとって、ある程度信号品位（ジッター）を良好にした状態にして行うことにより、設定精度を向上させるために行う。つまり、ストラテジの変化に対してより敏感に反応するσmin＜σthの状態にしてアシンメトリ最適化を図ることにより、精度及び効率良く、最適ストラテジ及び最適記録パワーを求めることができる。ここで、本実施形態では、σthとして、σth＝１．２×σtargetに設定している。
【００６３】
そして、以上のステップＳ４またはステップＳ５を経て、最適ストラテジを求め、このストラテジにより、β＝βtargetとなる最適記録パワーを求めて、データの記録を行うのである。
【００６４】
次に、ストラテジパラメータの調整方法に関して以下に詳述する。アシンメトリ調整のためのストラテジパラメータとしては、例えば、図１や図４に示すストラテジのような、ストラテジを構成する発光パルスの基準位置が発光パルスの後端である場合は、記録マークの前端を形成するストラテジパラメータとする。具体的には、図１のストラテジにおいてはＴｔｏｐをストラテジパラメータとする。図４のストラテジでは３Ｔｔｏｐ、４Ｔｔｏｐ、ｎＴｗｔ（ｎＴｔｏｐ）のすべてのパルス幅を一律に変化させることをストラテジパラメータとする。
【００６５】
一方、図５に示すストラテジのような、ストラテジを構成する発光パルスの基準位置が発光パルスの前端である場合には、記録マークの後端を形成するストラテジパラメータとする。具体的には、図５のストラテジにおいては、Ｔｔｏｐ３Ｔ及びＴｌｄの三つのパルス幅を一律に変化させることをストラテジパラメータとする。そして、ジッター調整のためのストラテジパラメータとしては、それぞれのストラテジで、上記以外のストラテジパラメータを設定すれば良い。
【００６６】
以上のようなストラテジパラメータをアシンメトリ調整のためのストラテジパラメータ（ＷＳＧ１）及びジッター調整のためのストラテジパラメータ（ＷＳＧ２）として扱う。そうすることで、ストラテジ最適化はストラテジの種類によらず以下に示す同様のシーケンスにより行うことができる。ＷＳＧ１及びＷＳＧ２のストラテジ最適化シーケンスの詳細を以下に説明する。
【００６７】
図９は図８のステップＳ４の詳細を示すフローチャートである。以下、このフローチャートに関して説明する。図８のステップＳ３によりσmin＜σthと判定された後、ステップＳ２００でジッター最小記録パワーにおけるβminとメモリ１３に記憶されているβtargetとを比較する。
【００６８】
βmin＝βtargetであれば、ステップＳ２０７に移行し、この時のＷＳＧ１のまま、後述するステップＳ２０８からのＷＳＧ２によるストラテジ調整を行う。βmin≠βtargetの場合には、βの大小関係を比較するステップＳ２０１に移行して、βmin＞βtargetの判定を行う。
【００６９】
Ｓ２０１でβmin＞βtargetである場合には、ステップＳ２０２に移行してＷＳＧ１を増加させてストラテジを設定する。そして、ステップＳ２０４に移行してσ及びβの記録パワー依存性を計測する。
【００７０】
一方、Ｓ２０１でβmin＜βtargetである場合には、ステップＳ０３に移行してＷＳＧ１を減少させてストラテジを設定し、ステップＳ２０４に移行する。これは、図３で説明したアシンメトリとジッターの関係を利用するものであり、不適当な増減方向によるＷＳＧ１調整を省け、効率よくストラテジ調整を行うことができる。
【００７１】
ステップＳ２０４でのσ及びβの記録パワー依存性の結果を用いて、ステップＳ２０５でβmin＝βtargetであるかを判定する。βmin≠βtargetの場合は、再度ステップＳ２０１からＷＳＧ１の調整を行う。
【００７２】
βmin＝βtargetである場合はステップＳ２０６に移行し、この時のジッターσminとメモリ１３に記憶しているσtargetとを比較する。σmin＜σtargetである場合は、この時のＷＳＧ１によるストラテジを最適としてメモリ１３に記憶させて、ストラテジ最適化を終了する。
【００７３】
一方、Ｓ２０６でσmin＞σtargetの場合は、ステップＳ２０７に移行して、この時のＷＳＧ１でストラテジを設定して、ステップＳ２０８からＷＳＧ２の調整を行う。ステップＳ２０８ではＷＳＧ２を変更したストラテジに設定して、σ及びβの記録パワー依存性を求める。そして、Ｓ２０９に進み、この結果を用いて、σminとメモリ１３に記憶しているσtargetとを比較する。
【００７４】
Ｓ２０９でσmin＞σtargetの場合には、ステップＳ２１１に移行して、次に設定するＷＳＧ２が設定可能範囲内であるかの判別を行う。設定範囲内であれば、ステップＳ２０８に再度移行し、ＷＳＧ２を変更してストラテジを設定し、σ及びβの記録パワー依存性を求める。
【００７５】
設定範囲外であれば、ステップ２１２に移行し、ＷＳＧ２調整後の最小ジッターσmin2とＷＳＧ２調整前の最小ジッターσmin1の大小関係を比較する。Ｓ２１２でσmin1＞σmin2である場合には、ステップＳ２１３に移行して、ジッターがσmin2となるＷＳＧ２のストラテジを設定する。そして、ステップＳ２０１に移行し、ＷＳＧ１の再調整を行う。また、Ｓ２１２でσmin1＜σmin2である場合は、ＷＳＧ２によるジッター改善は見られなかったということを意味し、ストラテジ最適化不能の出力表示を出して、ストラテジ最適化を終了する。
【００７６】
一方、ステップＳ２０９において、σmin＜σtargetである場合は、アシンメトリ確認のためステップＳ２１０に移行する。ステップＳ２１０ではメモリ１３に記憶しているβtargetと比較して、βmin＝βtargetであるかを判定する。
【００７７】
βmin≠βtargetの場合は、ステップＳ２１３でσmin＜σtargetとなるＷＳＧ２に変更したストラテジに設定して、ステップＳ２０１からＷＳＧ１の再調整を行う。Ｓ２１０でβmin＝βtargetの場合は、ジッター的にもアシンメトリ的にも所望の特性を示すストラテジとしてメモリ１３に記憶させて、ストラテジ最適化を終了する。
【００７８】
このストラテジを用いて記録パワーの最適化を行い、最適記録パワーによるデータ記録を行う。一連のストラテジ最適化によりβmin＝βtargetとなる記録パワーは求められているので、自動的に最適記録パワーも求められており、その最適記録パワーを用いてデータの記録を行う。本発明は、ストラテジ最適化と記録パワー最適化を兼ねることができ、より効率的である。
【００７９】
図１０は図８のステップＳ５の詳細を示すフローチャートである。図１０では図９と同じ処理を行うステップには同一ステップ番号を付している。図８のステップＳ３によりσmin＞σthと判定された後、ＷＳＧ２の調整から行う。図１０ではＳ２０８から処理を開始するが、図１０のＳ２０８からＳ２１４までの処理は図９のＳ２０８からＳ２１４までの処理と同様である。
【００８０】
また、図１０ではＳ２１０でβmin≠βtargetと判定された場合、Ｓ２０１に移行するが、図１０のＳ２０１からＳ２０７までの処理は図９のＳ２０１からＳ２０７までの処理と同様である。このように図９と同じステップ番号で同じ処理を行うことにより、最適ストラテジが得られる。
【００８１】
また、上記ストラテジ最適化過程で求められた、各ストラテジでの最小ジッター、その時のβ、最適記録パワーを用いて、図２のようなＷＳＧ１若しくはＷＳＧ２依存性を求め、メモリ１３に記憶させることもできる。
【００８２】
これにより、同種の別ディスクをローディングして、メモリ１３に記憶されている初期の書き込み設定値で記録した際に、ジッター及びβが所望の特性を示さなかった場合に、より効率よく最適ストラテジを求めることができる。即ち、初期書き込み設定で記録した時のジッター及びβと上記依存性の結果とを比較すれば、ＷＳＧ１あるいはＷＳＧ２のストラテジパラメータ及び記録パワーを予測することができ、最適ストラテジをより効率よく求めることができる。
【００８３】
本発明は、以上のようにストラテジに基づいてレーザ光をパルス状に変調して光ディスクに情報を記録する情報記録方法である。この情報記録方法において、発光パルスの後端を基準にパルス幅を決定するストラテジの場合は少なくとも先頭に位置するパルスのパルス幅をパラメータとする。また、発光パルスの前端を基準にパルス幅を決定するストラテジの場合は少なくとも最後端に位置するパルスのパルス幅をパラメータとする。そして、光ディスクに試し書きデータを記録し、光ディスクから前記試し書きデータを再生して再生信号からアシンメトリの大きさを測定し、測定結果に基づいてアシンメトリが所定の範囲内となるようにパラメータを調整する。
【００８４】
また、本発明は、ストラテジが発光パルスの後端を基準にパルス幅を決定しているキャッスルストラテジの場合、先頭に位置するパルスのパルス幅は、３Ｔ，４Ｔマークではパルス幅全長である。５Ｔ以上のマークでは先頭で突出する部分のパルス幅のことであり、更に、５Ｔ以上のマークではパルス幅全長もパラメータに含まれるものである。
【００８５】
更に、本発明は、ストラテジが発光パルスの前端を基準にパルス幅の決定をしているマルチパルスストラテジの場合、最後端に位置するパルスのパルス幅は、３Ｔマークではパルス幅全長である。
【００８６】
また、ストラテジが発光パルスの前端を基準にパルス幅を決定しているキャッスルストラテジの場合、前記最後端に位置するパルスのパルス幅は、３Ｔマークではパルス幅全長、４Ｔ以上のマークでは後端で突出する部分のパルス幅のことである。更に、４Ｔ以上のマークではパルス幅全長もパラメータに含まれるものである。
【００８７】
また、本発明は、再生信号のジッターを測定し、その測定結果に基づきジッターが所定範囲内となるようにストラテジのパラメータを調整する。そして、アシンメトリのためのパラメータ調整はジッターが所定の範囲を保った状態でアシンメトリが所定の範囲になるように行なわれるものである。
【００８８】
以上のように本発明は、ジッターだけではなく、アシンメトリに対しても最適なストラテジを効率よく求めることができる。従って、得られた最適ストラテジを用いてＯＰＣを行うことにより、精度の良い最適記録パワーによる高品質なデータの記録或いは再生を実現することが可能となる。
【図面の簡単な説明】
【００８９】
【図１】ＤＶＤで用いられるストラテジの一例を示す図である。
【図２】図１のストラテジにおける最小ジッター、β、最小ジッター時の記録パワー（Ｐｏ＿ｍｉｎ）のＴｔｏｐ依存性を示す図である。
【図３】図１のストラテジにおけるＴｔｏｐ（ストラテジパラメータ１）と記録再生波形及びβとの関係を示す図である。
【図４】ＤＶＤで用いられるストラテジの他の例を示す図である。
【図５】ＤＶＤで用いられるストラテジの他の例を示す図である。
【図６】ＤＶＤで用いられるストラテジの他の例を示す図である。
【図７】本発明に係る光ディスク装置の一実施形態を示すブロック図である。
【図８】本発明の動作を説明するフローチャートである。
【図９】図８のステップＳ４の詳細を示すフローチャートである。
【図１０】図８のステップＳ５の詳細を示すフローチャートである。
【図１１】ディスク情報βを説明する図である。
【図１２】低品質ＤＶＤのジッター、βの記録パワー依存性を説明する図である。
【符号の説明】
【００９０】
１０  光ディスク
１１  ＣＰＵ
１３  メモリ
１４  β測定回路
１５  ジッター測定回路
１６  ＲＦ増幅回路
１７  ２値化回路
１８  ＬＤ制御回路
１９  ＬＤＤ（レーザードライバ）
２０  ＬＤ（レーザーダイオード）
２１  ＰＤ（フォトディテクタ）
３０  光ヘッド
【図１】
2008282510.tif 000003
【図２】
2008282510.tif 000004
【図３】
2008282510.tif 000005
【図４】
2008282510.tif 000006
【図５】
2008282510.tif 000007
【図６】
2008282510.tif 000008
【図７】
2008282510.tif 000009
【図８】
2008282510.tif 000010
【図９】
2008282510.tif 000011
【図１０】
2008282510.tif 000012
【図１１】
2008282510.tif 000013
【図１２】
2008282510.tif 000014